(57)【特許請求の範囲】
【請求項１】
筐体内を熱交換室と機械室とに区分けする縦に延びた仕切り板を備え、前記熱交換室に熱交換器及び送風機を収容し、前記機械室に圧縮機及び電装ユニットを収容した空気調和装置の室外ユニットにおいて、
前記仕切り板は、仕切り板本体の上端部に連結されて、前記電装ユニットを支持する支持部材を備え、
前記支持部材は、前記仕切り板の幅方向の両端部に延在し、前記熱交換室と前記機械室とを連通する開口部に臨む一対のガイドレールを備え、
前記電装ユニットは、基板が取り付けられ、前記ガイドレール間に前記基板と一体に上方に引き出し可能に側縁部が嵌合した基板ホルダーを備え、
前記基板ホルダーは、前記基板のメンテナンス時に、前記筐体の天面を形成する天井パネルを取り外して、前記支持部材に脱着される
ことを特徴とする空気調和装置の室外ユニット。
【請求項２】
前記電装ユニットは、第２基板を有し、前記第２基板と、前記基板とは、略Ｔ字状に配置されて前記支持部材に取り付けられ、前記基板に実装される電解コンデンサーを前記第２基板の背面側に上下に並べて配置したことを特徴とする請求項１に記載の空気調和装置の室外ユニット。
【請求項３】
筐体内を熱交換室と機械室とに区分けする縦に延びた仕切り板を備え、前記熱交換室に熱交換器及び送風機を収容し、前記機械室に圧縮機及び電装ユニットを収容した空気調和装置の室外ユニットにおいて、
前記仕切り板は、仕切り板本体の上端部に連結されて、前記電装ユニットを支持する支持部材を備え、
前記支持部材は、前記仕切り板の幅方向の両端部に延在し、前記熱交換室と前記機械室とを連通する開口部に臨む一対のガイドレールを備え、
前記電装ユニットは、基板が取り付けられ、前記ガイドレール間に前記基板と一体に上方に引き出し可能に側縁部が嵌合した基板ホルダーを備え、
前記電装ユニットは、第２基板を有し、前記第２基板と、前記基板とは、略Ｔ字状に配置されて前記支持部材に取り付けられ、前記基板に実装される電解コンデンサーを前記第２基板の背面側に上下に並べて配置したことを特徴とする空気調和装置の室外ユニット。
【請求項４】
前記ガイドレールは、互いに対向する断面略コ字状のレールであり、前記基板ホルダーの側縁部を、前記ガイドレールの内側に差し込んで前記支持部材に固定することを特徴とする請求項１から３のいずれかに記載の空気調和装置の室外ユニット。
【請求項５】
前記基板は、発熱する電装品、或いは、消耗部品である電装品を実装することを特徴とする請求項１から４のいずれかに記載の空気調和装置の室外ユニット。
【請求項６】
前記支持部材は、前記電解コンデンサーの周囲を囲み、前記第２基板を支持する支持板を備えたことを特徴とする請求項２から５のいずれかに記載の空気調和装置の室外ユニット。
【発明の詳細な説明】
【技術分野】
【０００１】
本発明は、空気調和装置の室外ユニットに関する。
【背景技術】
【０００２】
一般に、筐体内を仕切り板で熱交換室と機械室とに区分けし、熱交換室に熱交換器及び送風機を収容し、機械室に圧縮機及び電装ユニットを収容した空気調和装置の室外ユニットが知られている。この種の室外ユニットでは、電装ユニットに収容された電装品が発する熱を放熱させるヒートシンクを熱交換室側に突出させて、電装ユニットを機械室に配置したものがある（例えば、特許文献１参照）。
【先行技術文献】
【特許文献】
【０００３】
【特許文献１】特開２００１−２０１１１０号公報
【発明の概要】
【発明が解決しようとする課題】
【０００４】
ところで、電装ユニットは、各種電装品が実装される基板を備えるが、ハイブリッドＩＣ基板交換等のメンテナンス時には、電装ユニットを空気調和装置本体から取り外す必要があり、メンテナンス性が悪かった。メンテナンス性向上のためには、電装ユニットを空気調和装置本体から取り外すことなく基板を電装ユニットに着脱自在に備えることが考えられるが、小型化が進む室外ユニットでは、筐体内の作業スペースが限られ、基板上に実装された電解コンデンサー等の電装品を傷つけることなく基板を着脱するのは困難であった。
本発明の目的は、上述の事情を考慮してなされたものであり、電装ユニットが備える基板のメンテナンス性を向上させることができる空気調和装置の室外ユニットを提供することにある。
【課題を解決するための手段】
【０００５】
上記課題を解決するため、本発明は、筐体内を熱交換室と機械室とに区分けする縦に延びた仕切り板を備え、前記熱交換室に熱交換器及び送風機を収容し、前記機械室に圧縮機及び電装ユニットを収容した空気調和装置の室外ユニットにおいて、前記仕切り板は、仕切り板本体の上端部に連結されて、前記電装ユニットを支持する支持部材を備え、前記支持部材は、前記仕切り板の幅方向の両端部に延在し、前記熱交換室と前記機械室とを連通する開口部に臨む一対のガイドレールを備え、前記電装ユニットは、基板が取り付けられ、前記ガイドレール間に前記基板と一体に上方に引き出し可能に側縁部が嵌合した基板ホルダーを備え、前記基板ホルダーは、前記基板のメンテナンス時に、前記筐体の天面を形成する天井パネルを取り外して、前記支持部材に脱着されることを特徴とする。
また、この構成において、前記電装ユニットは、第２基板を有し、前記第２基板と、前記基板とは、略Ｔ字状に配置されて前記支持部材に取り付けられ、前記基板に実装される電解コンデンサーを前記第２基板の背面側に上下に並べて配置した構成としても良い。
【０００６】
また、上記課題を解決するため、本発明は、筐体内を熱交換室と機械室とに区分けする縦に延びた仕切り板を備え、前記熱交換室に熱交換器及び送風機を収容し、前記機械室に圧縮機及び電装ユニットを収容した空気調和装置の室外ユニットにおいて、前記仕切り板は、仕切り板本体の上端部に連結されて、前記電装ユニットを支持する支持部材を備え、前記支持部材は、前記仕切り板の幅方向の両端部に延在し、前記熱交換室と前記機械室とを連通する開口部に臨む一対のガイドレールを備え、前記電装ユニットは、基板が取り付けられ、前記ガイドレール間に前記基板と一体に上方に引き出し可能に側縁部が嵌合した基板ホルダーを備え、前記電装ユニットは、第２基板を有し、前記第２基板と、前記基板とは、略Ｔ字状に配置されて前記支持部材に取り付けられ、前記基板に実装される電解コンデンサーを前記第２基板の背面側に上下に並べて配置したことを特徴とする。この構成において、前記ガイドレールは、互いに対向する断面略コ字状のレールであり、前記基板ホルダーの側縁部を、前記ガイドレールの内側に差し込んで前記支持部材に固定する構成としても良い。また、前記基板は、発熱する電装品、或いは、消耗部品である電装品を実装する構成としても良い。また、前記支持部材は、前記電解コンデンサーの周囲を囲み、前記第２基板を支持する支持板を備えた構成としても良い。
【発明の効果】
【０００７】
本発明によれば、筐体内を熱交換室と機械室とに区分けする縦に延びた仕切り板を備えた空気調和装置の室外ユニットにおいて、仕切り板本体の上端部に連結されて、電装ユニットを支持する支持部材を備え、前記支持部材は、前記仕切り板の幅方向の両端部に延在し、前記熱交換室と前記機械室とを連通する開口部に臨む一対のガイドレールを備え、前記電装ユニットは、基板が取り付けられ、前記ガイドレール間に前記基板と一体に上方に引き出し可能に側縁部が嵌合した基板ホルダーを備えたため、基板を、基板ホルダーと一体に、ガイドレールに沿って上方に引き出すことで電装ユニットから簡単に取り外すことができ、基板のメンテナンス性を向上することができる。
【図面の簡単な説明】
【０００８】
【図１】本発明を適用した実施形態に係る室外ユニットの外観斜視図である。
【図２】室外ユニットの内部構成を示す斜視図である。
【図３】電装ユニットを取り外した状態の室外ユニットの内部構成を示す斜視図である。
【図４】電装ユニットを示す斜視図である。
【図５】支持部材を示す斜視図である。
【図６】支持部材を示す平面図である。
【図７】基板ホルダーを示す斜視図である。
【発明を実施するための形態】
【０００９】
以下、図面を参照して本発明の実施形態を詳述する。
本実施形態に係る空気調和装置は、室外ユニット１０と室内ユニット（不図示）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１０】
図１は、室外ユニット１０の斜視図であり、図２は、天井パネル１３、前面パネル１４、及び、外板１５を取り外した状態の室外ユニット１０の斜視図である。この室外ユニット１０は、略直方体箱形状のユニットケース（筐体）１１を備え、ユニットケース１１は、底板１２、天井パネル１３、前面パネル１４および外板１５を備えている。ユニットケース１１の内部は、底板１２に立設された仕切り板１６によって縦に仕切られ、熱交換室Ｒ１と機械室Ｒ２とに区分けされている。前面パネル１４は、仕切り板１６を境に左右に二分割された第１前面パネル１４Ａと第２前面パネル１４Ｂとから構成される。第１前面パネル１４Ａを取り外すことによって、作業者は室外ユニット１０の前面側から熱交換室Ｒ１内の部品のメンテナンス作業を行うことができ、第２前面パネル１４Ｂを取り外すことによって、作業者は室外ユニット１０の前面側から機械室Ｒ２内の部品のメンテナンス作業を行うことができる。
【００１１】
また、熱交換室Ｒ１側の第１前面パネル１４Ａには、熱交換室Ｒ１内部で熱交換された空気が吹き出す２つの吹出口２８，２８が上下方向に並べて形成されている。吹出口２８，２８は、それぞれ網状のファンガード２９により覆われている。図示は省略したが、吹出口２８，２８は、例えば、丸形フランジ形状のファン覆い部で覆われ、ファン覆い部の開口部内に後述する送風機２２が設けられる。
【００１２】
熱交換室Ｒ１には、図２に示すように、その背面側に熱交換器２１が収容され、その前面側に上下方向に並べて配置された送風機２２，２２が収容される。熱交換器２１は、上面視略Ｌ字形状に屈曲されて形成され、熱交換室Ｒ１の左側面（外側面）から背面に沿わせて配置されている。このように、熱交換器２１は熱交換室Ｒ１（すなわちユニットケース１１）の左側面及び背面を形成し、この左側面から背面にかけての露出面全体が通風路（吸込口）として機能する。また、図示は省略したが、熱交換器２１の表面は、この熱交換器２１への人体などの接触を防止するため、樹脂性のネットなどからなるフィンガードで覆われている。
【００１３】
送風機２２は、熱交換室Ｒ１内に配置された左右一対の支柱２４Ｌ、２４Ｒに取り付けられている。これら支柱２４Ｌ、２４Ｒは、当該支柱２４Ｌ、２４Ｒの上端部をそれぞれ熱交換器２１の上縁部に引掛けるとともに、当該支柱２４Ｌ、２４Ｒの下端部は底板１２にねじ止めにより固定されている。
送風機２２は、支柱２４Ｌ、２４Ｒの上部に台座２５を介して固定されたファンモータ２６と、このファンモータ２６の軸に取り付けられたプロペラファン（軸流ファン）２７とから構成され、このプロペラファン２７が熱交換室Ｒ１の前面側に近接配置される。ファンモータ２６によりプロペラファン２７が回転駆動されると、室外ユニット１０の周囲、より具体的には、熱交換器２１の背面側および左側面側から外気が熱交換室Ｒ１内に吸い込まれ、熱交換器２１内を流れる冷媒と熱交換し、熱交換室Ｒ１の前面に設けられた吹出口２８，２８通って室外ユニット１０外に排出される。つまり、この室外ユニット１０は、前面から熱交換後の空気を吹き出す前面吹き出しタイプに構成されている。
【００１４】
また、機械室Ｒ２には、冷媒回路の一部を構成する圧縮機３１、アキュムレータ（不図示）、レシーバタンク３３、オイルセパレータ（不図示）、および四方弁３２や膨張弁（不図示）といった弁体などの冷媒回路構成部品が配管接続され、当該機械室Ｒ２の略下方空間内に収容される。
【００１５】
また、圧縮機３１の上方右側で、機械室Ｒ２の前面側には、ガス管用サービスバルブと液管用サービスバルブとが近接して固定されている。これらガス管用サービスバルブ及び液管用サービスバルブには、室内ユニットから延びるユニット配管のガス管及び液管（不図示）がそれぞれ接続され、これにより、冷媒を循環する冷媒回路が構成される。また、機械室Ｒ２の上方空間には、空気調和装置を制御する制御基板などの各種電装品を配設した電装ユニット４０が配置されている。電装ユニット４０は、支持部材５０と、支持部材５０に支持される第１基板４１、第２基板４２、ヒートシンク５５とを備え、ヒートシンク５５を仕切り板１６の上方から熱交換室Ｒ１側に臨ませて、機械室Ｒ２の上方空間に設けられる。支持部材５０は、仕切り板１６の幅方向に延在する。
【００１６】
仕切り板１６は、図３に示すように、熱交換室Ｒ１と機械室Ｒ２との間に配置されて当該熱交換室Ｒ１と機械室Ｒ２とを区分けする仕切り板本体部（仕切り板本体）１６Ｂと、この仕切り板本体部１６Ｂの前面側の側縁部を機械室Ｒ２側に折り曲げて形成した前面部（端部）１６Ｃと、仕切り板本体部１６Ｂの背面側の側縁部を機械室Ｒ２側に、上記前面部１６Ｃと略平行に折り曲げて形成した背面部（端部）１６Ｄと、仕切り板本体部１６Ｂの上縁部を機械室Ｒ２側に折り曲げて形成した上面部１６Ａとを備える。仕切り板１６は、薄い板金を上記のように折り曲げて形成され、仕切り板１６の剛性（強度）の向上を図っている。
【００１７】
仕切り板１６は、底板１２に立設し、背面部１６Ｄを熱交換器２１にねじ止めして固定される。具体的には、熱交換器２１は、右側の端部に管板３５を備え、この管板３５は、ユニットケース１１内側の側縁部を略Ｌ字形状に折り曲げたリブ３５Ａが形成されている。仕切り板１６は、背面部１６Ｄを、このリブ３５Ａにねじ止めして固定される。仕切り板１６の上方には、熱交換室Ｒ１と機械室Ｒ２とを連通する開口部５が設けられる。
【００１８】
仕切り板１６の上面部１６Ａには、図２に示すように、電装ユニット４０の支持部材５０が連結される。電装ユニット４０は、図４に示すように、支持部材５０と、この支持部材５０に支持される第１基板４１、第２基板４２、及び、ヒートシンク５５とを備える。第１基板４１と、ヒートシンク５５とは、一体に基板ホルダー５１によって固定され、基板ホルダー５１は、支持部材５０に着脱自在に支持される。基板ホルダー５１は、第１基板４１の上方に設けられた引っ掛け具５８の先端の引っ掛け爪５８Ａを支持部材５０に形成された引っ掛け溝５８Ｂに係止させて、支持部材５０に固定される。引っ掛け具５８は、アルミ等の金属から形成される。また、基板ホルダー５１には、基板ホルダー５１の上部にねじ孔５１Ｅが形成され、このねじ孔５１Ｅに機械室Ｒ２側から挿入するねじによって支持部材５０に固定される。第１基板４１と、第２基板４２とは、互いに略Ｔ字状に配置され、第２基板４２は、室外ユニット１０の前後方向に配置される第１基板４１と略直角に設けられる。
【００１９】
また、ヒートシンク５５の上部には、ヒートシンク５５の投影面積全体の大半を覆うフード５９が基板ホルダー５１に固定されて設けられる。フード５９は、上方に開放し、機械室Ｒ２側の側面を前後に亘って切り欠いた略箱形状に形成される。フード５９は、３つの側面５９Ａの上端面５９Ｂが、ユニットケース１１の天井パネル１３の下面と当接するように形成されている。この構成によれば、熱交換器２１の背面側から熱交換室Ｒ１に侵入した雨水などの水を、フード５９でヒートシンク５５の上方から機械室Ｒ２側に入り込むのを防止することができる。また、フード５９には、熱交換室Ｒ１側の側面５９Ａに沿って、底面５９Ｃが切り欠かれ、フード５９の上方空間と、熱交換室Ｒ１とを連通させる切欠き部５９Ｄが形成される。機械室Ｒ２内の空気は、熱交換室Ｒ１を流れる空気に誘引されて、この切欠き部５９Ｄを通って熱交換室Ｒ１内に流れる。そのため、電装ユニット４０が備える電装品から発生られた熱によって熱せられた空気を機械室Ｒ２内にこもることなく循環させることができる。
【００２０】
支持部材５０は、図５に示すように、熱交換室Ｒ１と機械室Ｒ２とを連通する開口部５に臨む一対のガイドレール４３，４３を備える。ガイドレール４３，４３は、互いに対向する断面略コ字状のレールであり、一方のガイドレール４３が仕切り板１６の前面部１６Ｃに延在し、他方のガイドレール４３が背面部１６Ｄの近傍に延在する。また、支持部材５０は、開口部５の下部領域を塞ぎ、ガイドレール４３，４３間を繋ぐ第１支持板４４を備える。ガイドレール４３，４３と、第１支持板４４とは、一枚の金属板に曲げ加工などの板金加工を行って形成されている。第１支持板４４には、第１基板４１を保持する後述の基板ホルダー５１が上面に載置される第１台座部５２、及び、第２台座部５３が、第１支持板４４と一体に形成されている。
【００２１】
このガイドレール４３間には、図４に示すように、第１基板４１と、第１基板４１に実装された電装品が発する熱を放熱するヒートシンク５５とを一体に固定した基板ホルダー５１が取り付けられる。基板ホルダー５１の両側縁部５１Ａが、ガイドレール４３間に嵌合し、第１基板４１、ヒートシンク５５、及び、基板ホルダー５１をガイドレール４３に沿って一体に上方に引き出し可能に備えられる。室外ユニット１０の後方側のガイドレール４３の後方には、仕切り板１６の背面部１６Ｄに延在する固定部材５４が設けられる。固定部材５４は、ガイドレール４３と略平行に設けられる。支持部材５０は、この固定部材５４と、熱交換器２１の管板３５に形成されたリブ３５Ａとをねじで螺合して、仕切り板１６に連結される。
【００２２】
また、支持部材５０は、図５に示すように、この第１支持板４４に略直角に設けられる第２支持板４５を備える。第２支持板４５は、ガイドレール４３，４３と略水平に設けられる第２基板取付部４５Ａと、この第２基板取付部４５Ａの下部に取り付けられ、断面略Ｌ字状に形成されたベース部４５Ｂとを備える。第２基板取付部４５Ａには、第２基板４２がビス４７等の締結具によって固定される。第２基板４２は、或いは、第２基板取付部４５Ａにクリップ等の留め具で挟持される構成であっても良い。第２支持板４５の上部には、引っ掛け溝５８Ｂが形成される。
【００２３】
ベース部４５Ｂは、第２基板取付部４５Ａの下端に機械室Ｒ２の前面側に向かって張り出すように設けられる。ベース部４５Ｂには、電源端子やコネクタが連結される複数の電子部品接続部４６を備えた端子台４５Ｃが、電装ユニット４０の下方に垂れ下がるように設けられる。第２支持板４５、ベース部４５Ｂ、及び、端子台４５Ｃは、一枚の金属板に曲げ加工などの板金加工を行って、一体に形成されている。
【００２４】
図６は、支持部材５０の平面図であり、図５中の矢印方向から支持部材５０を視た図である。図６に示すように、支持部材５０は、第１支持板４４と、第２支持板４５とを繋ぐ、断面略Ｌ字状に形成された第３支持板（支持板）４８を備える。第３支持板４８は、第２支持板４５の背面側に一端が連結され、他端が、室外ユニット１０の後方側に配置されるガイドレール４３に連結される。また、支持部材５０には、第２支持板４５と、第３支持板４８との間に空間Ｒ３が形成される。また、第１支持板４４と、第２支持板４５とは、第３支持板４８で連結される他に、ベース部４５Ｂが左側に延出した延出部４５Ｄを、第１支持板４４に連結されるため、支持部材５０の剛性が高められる。第３支持板４８の背面側には、複数のクリップ６３が設けられる。クリップ６３は、図示は省略したが、電装ユニット４０に配線される各種ケーブルをまとめて保持するために用いられる。
【００２５】
基板ホルダー５１は、樹脂成型品であり、図７に示すように、略中央にホルダー開口部５１Ｂを備える枠状に形成される。第１基板４１は、ハイブリッドＩＣ（ＨＩＣ）５７のような発熱量の多い電装品を実装し、これらの発熱量の多い電装品をホルダー開口部５１Ｂに臨ませて、ホルダー開口部５１Ｂを塞ぐように、基板ホルダー５１にねじ等により固定される。第１基板４１に実装された発熱量の多い電装品は、ヒートシンク５５と熱的に連結されている。ヒートシンク５５は、複数のフィンを構成する金属板材を上下に間隔を空けて配置した構成を有し、基板ホルダー５１に、ねじ等により固定されて、熱交換室Ｒ１と機械室Ｒ２とを連通する開口部５を介して複数のフィンが熱交換室Ｒ１側に張り出すように設けられる。この構成によれば、第１基板４１に実装された電装品から発生された熱は、ヒートシンク５５に放熱されるとともに、ヒートシンク５５を、熱交換室Ｒ１内を流れる風で冷却することができるため、第１基板４１に実装された電装品を十分に冷却することができる。
【００２６】
第１基板４１には、また、電解コンデンサー５６のように、交換が必要となる消耗部品である電装品が実装される。電解コンデンサー５６は、機械室Ｒ２の背面側に寄せて、上下に並べて第１基板４１から機械室Ｒ２側に突出するように配置されている。基板ホルダー５１の下端部５１Ｃには、切欠き５１Ｄが形成され、この切欠き５１Ｄには、基板ホルダー５１をガイドレール４３間に下方にスライドさせて取り付けた際に、ベース部４５Ｂが嵌合する。また、基板ホルダー５１には、第１基板４１の上方に、引っ掛け具５８が取り付けられる。引っ掛け具５８は、アルミ等の金属から形成され、先端に引っ掛け爪５８Ａが設けられている。なお、本実施形態では、図７に示すように、電解コンデンサー５６は、上下に一列に並べて配置されているが、これに限るものではなく、上下に、いわゆる千鳥状に並べて配置する構成としてもよい。
【００２７】
第１基板４１、及び、ヒートシンク５５を一体に固定した基板ホルダー５１は、この引っ掛け爪５８Ａが引っ掛け溝５８Ｂに係止すると共に、基板ホルダー５１の上部に設けられたねじ孔５１Ｅを介して、機械室Ｒ２側から挿入されるねじによってガイドレール４３に固定される。このように、基板ホルダー５１を支持部材５０に固定するための、引っ掛け爪５８Ａ、及び、ねじ孔５１Ｅは、天井パネル１３を取り外した室外ユニット１０の上部開口から容易に作業ができる機械室Ｒ２の上部に設けられている。
【００２８】
これらの構成によれば、支持部材５０は、第１基板４１と、第２基板４２とを、互いに略Ｔ字状に配置されるよう支持され、第１基板４１に実装される電解コンデンサー５６は、第２基板４２の背面側に配置され、第２支持板４５と、第３支持板４８との間に形成された空間Ｒ３内に収容される。また、第１基板４１、及び、ヒートシンク５５を一体に固定した基板ホルダー５１は、ガイドレール４３間に下方にスライドさせて取付ることができ、さらに上方に引き出して取り外すことができるため、ガイドレール４３に沿って基板ホルダー５１をスライドさせて、天井パネル１３を取り外した室外ユニット１０の上部開口から着脱させることができる。また、基板ホルダー５１の着脱時には、ガイドレール４３がガイドの役割を果たし、第１基板４１に取り付けられ電解コンデンサー５６等の電装品を第２基板４２等の周囲の部品にぶつけて損傷させてしまうことを心配することなく、着脱させることができ、作業性が向上する。
【００２９】
また、基板ホルダー５１の下部には、保護カバー６１が、基板ホルダー５１と一体に形成されている。保護カバー６１は、第１基板４１に実装された電解コンデンサー５６の下方領域を覆うように、基板ホルダー５１から機械室Ｒ２側に突出するように設けられる。この構成によれば、電解コンデンサー５６の下方を保護カバー６１で保護することができるため、第１基板４１を基板ホルダー５１と一体にガイドレール４３の間に下方にスライドさせて取り付ける際に、電解コンデンサー５６を周囲の部品ぶつけて損傷することを防止することができる。
【００３０】
以上説明したように、本発明を適用した実施形態によれば、ユニットケース（筐体）１１内を熱交換室Ｒ１と機械室Ｒ２とに区分けする縦に延びた仕切り板１６を備え、熱交換室Ｒ１に熱交換器２１及び送風機２２を収容し、機械室Ｒ２に圧縮機３１及び電装ユニット４０を収容した空気調和装置の室外ユニット１０において、仕切り板１６は、仕切り板本体（仕切り板本体部）１６Ｂの上面部（上端部）１６Ａに連結されて、電装ユニット４０を支持する支持部材５０を備え、支持部材５０は、仕切り板１６の幅方向の両端部である、前面部１６Ｃと背面部１６Ｄに延在し、熱交換室Ｒ１と機械室Ｒ２とを連通する開口部５に臨む一対のガイドレール４３を備え、電装ユニット４０は、第１基板（基板）４１が取り付けられ、ガイドレール４３間に第１基板４１と一体に上方に引き出し可能に側縁部５１Ａが嵌合した基板ホルダー５１を備えた。これにより、第１基板４１の交換、或いは、第１基板４１に実装された電装品の交換など、第１基板４１のメンテナンス時には、電装ユニット４０をユニットケース１１から取り外すことなく、第１基板４１を、ガイドレール４３間に側縁部５１Ａが嵌合した基板ホルダー５１と一体に上方に引き出して、ユニットケース１１から容易に取り外すことができるため、第１基板４１のメンテナンス性が向上する。
【００３１】
また、本発明を適用した実施形態によれば、ガイドレール４３は、互いに対向する断面略コ字状のレールであり、基板ホルダー５１の側縁部５１Ａを、ガイドレール４３の内側に差し込んで支持部材５０に固定する。これによれば、第１基板４１を基板ホルダー５１と一体に支持部材５０に固定するさいに、ガイドレール４３がガイドの役割を果たし、第１基板４１を周囲の部品にぶつけて損傷させることを心配することなく取り付けることができるため、作業性が向上する。
【００３２】
また、本発明を適用した実施形態によれば、基板ホルダー５１は、第１基板４１のメンテナンス時に、ユニットケース１１の天面を形成する天井パネル１３を取り外して、支持部材５０に脱着されるため、天井パネル１３を取り外したユニットケース１１の上部開口から、容易に第１基板４１を基板ホルダー５１と一体に取り外す事ができ、メンテナンス性が向上する。
【００３３】
また、本発明を適用した実施形態によれば、第１基板４１は、ハイブリッドＩＣなどのように発熱量の多い電装品、或いは、消耗部品である電装品を実装するため、第１基板４１に実装された電装品から発せられた熱を、第１基板４１と一体に、基板ホルダー５１に固定されるヒートシンク５５を介して放熱させることができる。また、ハイブリッドＩＣのように発熱量の多い電装品は、比較的故障する頻度が高いため、メンテナンスが必要であり、発熱量の多い電装品、或いは、消耗部品である電装品を、容易に取り外すことができる第１基板４１に実装させ、第１基板４１を一つの交換部品として用意しておくことで、必要に応じて簡単に第１基板４１の交換を行うことができ、電装ユニット４０のメンテナンス性を向上させることができる。
【００３４】
また、電装ユニット４０は、第２基板４２を有し、第２基板４２と、第１基板４１とは、略Ｔ字状に配置されて支持部材５０に取り付けられ、第１基板４１に実装される電解コンデンサー５６を第２基板４２の背面側に上下に並べて配置したため、ガイドレール４３間に側縁部５１Ａを嵌合させて基板ホルダー５１を支持部材５０に上方からスライドさせて取り付ける際に、ガイドレール４３がガイドの役割を果たし、第１基板４１から機械室Ｒ２側に突出するように設けられた電解コンデンサー５６を第２基板４２にぶつけて損傷させてしまう心配をすることなく取り付けることができる。また、電解コンデンサー５６を第１基板４１を支持部材５０に取り付けるさいに、第２基板４２にぶつからないような配置関係としたため、第１基板４１の着脱作業性を向上することができる。
【００３５】
また、支持部材５０は、電解コンデンサー５６の周囲を囲み、第２基板４２を支持する第３支持板４８を備えたため、第１基板４１と、第２基板４２とを略Ｔ字状に支持する支持部材５０の剛性が第３支持板４８を備えることで向上する。また、第３支持板４８は、第１基板４１から機械室Ｒ２側に突出するように設けられた電解コンデンサー５６の周囲を囲むように設けられるため、電解コンデンサー５６をこの第３支持板４８と、第２基板４２の間の空間Ｒ３に収容するように第１基板４１を取り付けることで、電解コンデンサー５６を周囲の部品等にぶつけて損傷させることがなく、作業性が向上する。
【符号の説明】
【００３６】
Ｒ１  熱交換室
Ｒ２  機械室
１０  室外ユニット
１１  ユニットケース（筐体）
１３  天井パネル
１６  仕切り板
１６Ｂ  仕切り板本体部（仕切り板本体）
２１  熱交換器
２２  送風機
４０  電装ユニット
４１  第１基板（基板）
４２  第２基板
４３  ガイドレール
４８  第３支持板（支持板）
５０  支持部材
５１  基板ホルダー
５１Ａ  側縁部
５６  電解コンデンサー
【図１】
0005873995.tif 000002
【図２】
0005873995.tif 000003
【図３】
0005873995.tif 000004
【図４】
0005873995.tif 000005
【図５】
0005873995.tif 000006
【図６】
0005873995.tif 000007
【図７】
0005873995.tif 000008